(57)【要約】【課題】トラフィックの増加により無線チャネルが不足した場合にも、他のＰＨＳ移動局の発呼に影響を及ぼすことがない、レピータ基地局における常時接続制御方式を提供すること。【解決手段】移動局１、レピータ基地局２および基地局３からなる移動体通信システムにおいて、前記レピータ基地局２および前記基地局３間の無線チャネルを常時接続しておく手段１６ｃと、トラフィックの増加により無線チャネルが不足した場合に、前記基地局３からレピータ基地局２に対して、警告情報を通知する手段２５ｂと、この警告情報を受信した前記レピータ基地局３は、この前記レピータ基地局２と基地局３間で常時接続された無線チャネルを解放する手段１６ｂと、を備えている。【選択図】図２
2005130189.tif 000002
【特許請求の範囲】
【請求項１】
移動局、基地局およびこれらの局間の通信を中継するレピータ基地局からなる移動体通信システムにおいて、前記レピータ基地局および前記基地局間の無線チャネルを常時接続しておく手段と、トラフィックの増加により無線チャネルが不足した場合に、前記基地局からレピータ基地局に対して、警告情報を通知する手段と、この警告情報を受信した前記レピータ基地局は、前記と基地局間で常時接続された無線チャネルを解放する手段と、を備えたことを特徴とする移動体通信レピータ基地局における常時接続制御方式。
【請求項２】
前記レピータ基地局は、制御部とメモリ部とを備え、このメモリ部には通常接続および常時接続のいずれかである接続状態を示す情報を格納し、前記制御部には、前記レピータ基地局の起動時に周辺基地局が常時送信しているＣＣＨ情報をサーチする手段と、この手段によりサーチした情報を元に接続先基地局を各無線ユニットに割り当てる手段と、前記レピータ基地局を各無線ユニットに割り当てられた接続先基地局に接続する手段と、前記接続先基地局のＣＣＨをモニタし、空きスロット情報の受信により接続先のトラフィックを判定する手段とを備えていることを特徴とする請求項１記載の移動体通信レピータ基地局における常時接続制御方式。
【請求項３】
前記基地局は制御部を備え、この制御部にはＴＣＨスロットに残りがあるかを判定する手段と、ＴＣＨスロットに空きがなくなった場合に空きスロット無しを前記レピータ基地局に通知する手段とを備えていることを特徴とする請求項２記載の移動体通信レピータ基地局における常時接続制御方式。  
【発明の詳細な説明】
【技術分野】
【０００１】
本発明は、移動体通信レピータ基地局における常時接続制御方式に関し、特に、常時接続状態にした無線チャネルを解放する方式に関するものである。
【背景技術】
【０００２】
この接続方式について、ＰＨＳシステムの場合の例にとって説明する。ＰＨＳレピータ基地局（レピータ基地局）には、ＰＨＳ移動局（ＰＳ）〜レピータ基地局間と、レピータ基地局〜接続先基地局間の２つの無線区間がある。従来のこの種の装置では、ＰＳから発呼のための通話チャネル割当の要求（リンクチャネル確立要求）を受信すると、まず、レピータ基地局〜接続先基地局間の通話チャネルの割当を行い、その後にＰＳ〜レピータ基地局間の通話チャネルの割当を行う。
【０００３】
レピータ基地局〜接続先基地局間の通話チャネルの割当では、レピータ基地局が接続先基地局を選択するために、周辺基地局のサーチを行い、サーチ結果で一番レベルの高い基地局へ通話チャネルの割当の要求（リンクチャネル確立要求）を送るようにしている。
【０００４】
この方法では、接続先基地局で通話を行うためのスロットに空きがない場合、通話チャネルの割当の応答で拒否（リンクチャネル割当拒否）が返ってきてしまうため、再度接続作業を繰り返す必要があった。その結果、レピータ基地局と接続先基地局との間の通話チャネルの接続（ＴＣＨ接続）までに時間がかかってしまうという問題点があった。
【０００５】
このような問題点を解決するため、本出願人はレピータ基地局と基地局の間の無線チャネルを常時接続する方式について提案し、すでに出願済みである（特願２００３−０８２１０５号、２００３年３月２５日出願）。
【発明の開示】
【発明が解決しようとする課題】
【０００６】
しかし、この常時接続する方式においては、トラフィックの増加により無線チャネルが不足した場合には、他のＰＨＳ移動局（以下ＰＳという。）が発呼を行う時にビジーになるケースが増えてしまうという問題点が新たに発生する。
【０００７】
そこで、本発明はこの問題点を除去し、他のＰＳ接続に影響を与えることがないレピータ基地局における常時接続制御方式を提供する事を目的とする。
【課題を解決するための手段】
【０００８】
本発明の移動体通信レピータ基地局における常時接続制御方式は、移動局、基地局およびこれらの局間の通信を中継するレピータ基地局からなる移動体通信システムにおいて、前記レピータ基地局および前記基地局間の無線チャネルを常時接続しておく手段と、トラフィックの増加により無線チャネルが不足した場合に、前記基地局からレピータ基地局に対して、警告情報を通知する手段と、この警告情報を受信した前記レピータ基地局は、前記と基地局間で常時接続された無線チャネルを解放する手段と、を備えたことを特徴とする。
【０００９】
また、本発明の常時接続制御方式においては、前記レピータ基地局は、制御部とメモリ部とを備え、このメモリ部には通常接続および常時接続のいずれかである接続状態を示す情報を格納し、前記制御部には、前記レピータ基地局の起動時に周辺基地局が常時送信しているＣＣＨ情報をサーチする手段と、この手段によりサーチした情報を元に接続先基地局を各無線ユニットに割り当てる手段と、前記レピータ基地局を各無線ユニットに割り当てられた接続先基地局に接続する手段と、前記接続先基地局のＣＣＨをモニタし、空きスロット情報の受信により接続先のトラフィックを判定する手段とを備えていることを特徴とするものである。
【００１０】
さらに、本発明の常時接続制御方式においては、前記基地局は制御部を備え、この制御部にはＴＣＨスロットに残りがあるかを判定する手段と、ＴＣＨスロットに空きがなくなった場合に空きスロット無しを前記レピータ基地局に通知する手段とを備えていることを特徴とするものである。  
【発明の効果】
【００１１】
かかる本発明によれば、接続先基地局はＰＳからの発呼等で使用できる通話チャネルが少なくなった場合、レピータ基地局に対して警告情報を報知することにより、レピータ基地局は常時接続を解放するようにしているので、トラフィックの増加により無線チャネルが不足した場合にもビジーになるケースの増加を防止することができる。
【発明を実施するための最良の形態】
【００１２】
以下、本発明の実施形態について図面を用いて説明する。
【００１３】
図１は本発明の一実施例であって、全体の構成を示すブロック図である。
【００１４】
図示のように、ＰＳ１、ＰＨＳ対応レピータ基地局（レピータ基地局）２、ＰＨＳ対応基地局（以下接続先基地局という。）３によりＰＨＳシステムが構成される。このＰＨＳシステムの接続動作の概要は次のとおりである。ＰＳ１からレピータ基地局２へ接続の要求があると、レピータ基地局はあらかじめ接続先基地局３と接続されているＴＣＨを選択するようにする。また、接続先基地局３はＰＳ１が通信を開始した時に空きチャネルがなくなった場合、レピータ基地局２に対してオプション情報報知等により空きスロット無しを通知する。レピータ基地局２は接続先基地局３のＣＣＨをモニタしていて空きスロット無しであれば常時接続で未使用のＴＣＨがあればＴＣＨを解放し、他の通信に利用することができる。
【００１５】
図２はオプション情報報知メッセージの例であり、オクテット２〜６又はオクテット７のビット１〜３のオプション部分の一部を使用し空きスロット無しを通知する。ここではオクテット２のビット１を使用した例を示す。
【００１６】
図３はレピータ基地局の構成を示すブロック図である。
【００１７】
レピータ基地局はＰＳからの電波を受信するレピータ基地局間用アンテナ１１、このアンテナ１１が接続されるレピータ基地局間用無線ユニット１２、レピータ基地局と接続先基地局間の無線通信用アンテナ１３、このアンテナ１３が接続される４個の無線ユニット１４を備え、これらの無線ユニット１２、１４は制御部１６に接続されている。また、この制御部１６には、接続先基地局の情報（ＣＳ−ＩＤ、受信レベル、割り当て無線ユニット）および接続状態（通常接続／常時接続）を示す情報を格納するためのメモリ１５が接続されている。
【００１８】
制御部１６は、マイクロコンピュータなどで構成され、レピータ基地局の起動時に周辺基地局が常時送信しているＣＣＨ情報をサーチする手段１６ａと、この手段によりサーチした情報を元に接続先基地局を各無線ユニットに割り当てる手段１６ｂのと、レピータ基地局を各無線ユニットに割り当てられた接続先基地局に接続する手段１６ｃと、常時接続している接続先基地局のＣＣＨをモニタし空きスロット情報から接続先のトラフィックを判定する手段１６ｄを備えている。
【００１９】
ＣＣＨ情報をサーチする手段１６ａは、レピータ基地局の起動時に行うもので、接続先の基地局を選択し、ＴＣＨ接続を行うために必要な情報をサーチするものである。接続先基地局を各無線ユニットに割り当てる手段１６ｂは、前述のサーチ手段１６ａでサーチされた情報を受信レベルが高い順に並び替えた後、上から順番に各無線ユニットを割り当てていくものである。この時、ＣＣＨ用として使用している無線ユニットは除かれる。常時接続を行った時にメモリ１５に常時接続（種別：０２Ｈ）を表す情報をセットし、通常の接続であれば通常接続（種別：０１Ｈ）を表す情報をセットする。またアイドル時には当該エリアに空きを表す情報をセットしておく。
【００２０】
各無線ユニットに割り当てられた接続先基地局に接続する手段１６ｃは、それぞれの無線ユニットに割り当てられた接続先基地局の中で最も受信レベルが高い基地局を選択し、その基地局へ通話チャネルの割当の要求（リンクチャネル確立要求）を送り、ＴＣＨ接続をしておくものである。
【００２１】
常時接続している接続先基地局のＣＣＨをモニタし空きスロット情報から接続先のトラフィックを判定する手段１６ｄは、接続先のＣＣＨをモニタしオプション情報報知等で空きスロット無しを検出した場合には、常時接続しているだけかを判定する手段１６ｅで未使用のＴＣＨを解放する。
【００２２】
図４は接続先基地局の構成を示すブロック図である。この接続先基地局は、アンテナ２１、無線ユニット２２、回線ユニット２３、メモリ２４、制御部２５から構成されている。
【００２３】
メモリ２４には制御部２５で使用するプログラムやデータ等を格納する。制御部２５はマイクロコンピュータ等で構成され、ＴＣＨスロットに残りがあるかを判定する手段２５ａとＴＣＨスロットに空きがなくなった場合に空きスロット無しを通知する手段２５ｂを備えている。
【００２４】
ＴＣＨスロットに残りがあるかを判定する手段２５ａは、呼接続時にＴＣＨスロットをカウントし自局の最大スロット数を比較しＴＣＨスロット数に空きがあるかを判定する。
【００２５】
ＴＣＨスロットに空きがなくなった場合に空きスロット無しを通知する手段２５ｂは、上記手段２５ａでＴＣＨスロットに空きがなくなった場合にオプション情報報知等で空きスロット無しを通知する。
【００２６】
図５はＴＣＨを解放する方法を示すフローチャートである。
【００２７】
まず、常時接続している基地局のＣＣＨをモニタする。ステップＳＴ１でオプション情報報知を受信したかをチェックし、受信していた場合は、ステップＳＴ２でオプション情報報知の中のスロット情報をチェックし、スロット空きなしであれば、ステップＳＴ３常時接続があるかをチェックし、常時接続があるならばステップＳＴ４で常時接続されているＴＣＨを解放する。
【００２８】
図６は、ＰＳから接続先基地局に接続要求があった時の先願発明の動作を、本発明と対比するために示すシーケンスである。
【００２９】
ステップＳＴ１１１でレピータ基地局が接続先基地局にリンクチャネル確立要求を送るとステップＳＴ１２１で接続先基地局がスロット１を割当て常時接続を行うこの時、ステップＳＴ１１２でスロット１のメモリ情報を空（０）から常時接続（２）にする。ステップＳＴ１０１でＰＳ４からＰＳ１への通常発呼が行われた時、常時接続されているスロット１を使用して通信を開始する。ステップＳＴ１１３でＬＣＨ割当てを送信する時にメモリ情報を常時接続（２）から通常接続（１）とする。ＰＳ１に着呼が通知されステップＳＴ１３１でＰＳ１から接続先基地局にリンクチャネル確立要求を送るとステップＳＴ１２２で接続先基地局がスロット２を割当て通信を行う。ステップＳＴ１３２でＰＳ２から接続先基地局にリンクチャネル確立要求を送るとステップＳＴ１２３で接続先基地局がスロット３を割当て通信を行う。ステップＳＴ１３３でＰＳ３から接続先基地局にリンクチャネル確立要求を送るとＳＴ１２４で接続先基地局はスロットに空きがないためＬＣＨ割当て拒否を返す。
【００３０】
図７はＰＳから接続先基地局に接続要求があった時の本発明の動作を示すシーケンスである。ステップＳＴ２１１でレピータ基地局が接続先基地局にリンクチャネル確立要求を送るとステップＳＴ２２１で接続先基地局がスロット１を割当て常時接続を行う。ステップＳＴ２３１でＰＳ１がリンクチャネル確立要求を送ると接続先基地局がスロット２を割当て通信を行う。ステップＳＴ２３２でＰＳ２がリンクチャネル確立要求を送ると接続先基地局がスロット３を割当て通信を行う。ステップＳＴ２２２で接続先基地局はスロットに空きが無くなったのでオプション情報報知等によりスロット空き無しを通知する。ステップＳＴ２１２で常時接続の接続先基地局ＣＣＨをモニタしていてスロット空き無しを検出したので常時接続されているＴＣＨを解放する。ステップＳＴ２３３でＰＳ３がリンクチャネル確立要求を送ると接続先基地局がスロット１を割当て通信を行う。
【図面の簡単な説明】
【００３１】
【図１】本発明の一実施例を示す全体構成図である。
【図２】本発明のシステムで用いるオプション報知情報メッセージの例を示す図である。
【図３】本発明のレピータ基地局の構成を示すブロック図である。
【図４】本発明の接続先基地局の構成を示すブロック図である。
【図５】本発明のレピータ基地局の動作を説明するためのフローチャートである。
【図６】ＰＳから接続先基地局に接続要求があった時の先願発明の動作を示すシーケンス図である。
【図７】ＰＳからレピータ基地局に接続要求があった時の本発明の動作を示すシーケンス図である。
【符号の説明】
【００３２】
１…ＰＨＳ移動局、
２…ＰＨＳ対応レピータ基地局、
３…ＰＨＳ対応基地局
１１…ＰＳ〜レピータ基地局間用アンテナ、
１２…ＰＳ〜レピータ基地局間用無線ユニット、
１３…レピータ基地局〜接続先基地局間用アンテナ、
１４…レピータ基地局〜接続先基地局間用無線ユニット、
１５…メモリ、
１６…制御部
２１・・・アンテナ、
２２・・・無線ユニット、
２３・・・回線ユニット、
２４・・・メモリ、
２５・・・制御部
【図１】
2005130189.tif 000003
【図２】
2005130189.tif 000004
【図３】
2005130189.tif 000005
【図４】
2005130189.tif 000006
【図５】
2005130189.tif 000007
【図６】
2005130189.tif 000008
【図７】
2005130189.tif 000009